(57)【要約】【課題】簡易な構成でシンチレーションを低減できるリアプロジェクタを提供すること。【解決手段】コヒーレント光を射出する光源３１を有し、コヒーレント光を利用して入力する画像情報に応じた光学像を形成投射する画像形成手段と、光学像が投影されるスクリーンと、入力する音声情報に応じた音声を出力する音声出力手段６１と、装置全体を制御する制御手段７と、筐体とを備えたリアプロジェクタであって、音声出力手段６１は、音声出力手段６１の駆動時に生じる振動により、光源３１及びスクリーンを含む、光源３１から射出された光の光路上に位置する部品のうち少なくともいずれかを振動させる位置に配置され、制御手段７は、音声出力手段６１に出力する音声情報に、可聴域音が含まれるか否かを判定する音声情報判定部７４２と、可聴域音が含まれないと判定されると、音声出力手段６１に、２０Ｈｚ以下の音声を出力させる低域音声出力部７４３とを備える。【選択図】図６
2008102316.tif 000002
【特許請求の範囲】
【請求項１】
コヒーレント光を射出する光源を有し、前記コヒーレント光を利用して入力する画像情報に応じた光学像を形成投射する画像形成手段と、前記光学像が投影されるスクリーンと、入力する音声情報に応じた音声を出力する音声出力手段と、装置全体を制御する制御手段と、これらを内部に収納する筐体とを備えたリアプロジェクタであって、
前記音声出力手段は、当該音声出力手段の駆動時に生じる振動により、前記光源及び前記スクリーンを含む、前記光源から射出された光の光路上に位置する部品のうち、少なくともいずれかを振動させる位置に配置され、
前記制御手段は、
前記音声出力手段に出力する前記音声情報に、可聴域音が含まれるか否かを判定する音声情報判定部と、
前記音声情報判定手段により、前記音声情報に可聴域音が含まれないと判定されると、前記音声出力手段に、２０Ｈｚ以下の音声を出力させる低域音声出力部とを備えることを特徴とするリアプロジェクタ。
【請求項２】
請求項１に記載のリアプロジェクタにおいて、
前記低域音声出力部は、前記音声出力手段に１０Ｈｚ以上、２０Ｈｚ以下の音声を出力させることを特徴とするリアプロジェクタ。
【請求項３】
請求項１または請求項２に記載のリアプロジェクタにおいて、
前記音声出力手段は、当該音声出力手段の駆動時に生じる振動により、前記スクリーンを振動させる位置に配置されていることを特徴とするリアプロジェクタ。
【請求項４】
請求項３に記載のリアプロジェクタにおいて、
前記音声出力手段は、
前記音声情報に応じた音声を出力するスピーカと、
前記スピーカを支持するエンクロージャと、
一端が前記エンクロージャの内部の空間に開口し、他端が前記筐体内における前記スクリーンが露出する空間に開口するダクトとを備え、
前記ダクトの他端の開口は、前記スクリーンに対向していることを特徴とするリアプロジェクタ。
【発明の詳細な説明】
【技術分野】
【０００１】
本発明は、コヒーレント光を射出する光源を有し、前記コヒーレント光を利用して入力する画像情報に応じた光学像を投影するリアプロジェクタに関する。
【背景技術】
【０００２】
従来、光源から射出された光束により光学像を形成し、当該光学像を拡大投射するプロジェクタが知られている。このようなプロジェクタとして、筐体に設けられたスクリーンに背面側から光学像を投射する背面投射型プロジェクタ、いわゆる、リアプロジェクタが知られている。
ところで、このようなリアプロジェクタの光源として、レーザーが用いられる場合がある。このようなレーザーの光（レーザー光）は、コヒーレント光であるため、色域を拡大することができ、光学像の色再現性を向上することができる利点がある。一方、レーザーを光源として用いた場合には、スクリーンに反射したレーザー光が干渉して、シンチレーションが増大してスペックルノイズが生じ、投射画像の画質が劣化して観察されるという問題がある。
【０００３】
このような問題に対して、高周波によってスクリーンを振動させるディスプレイ装置が知られている（例えば、特許文献１参照）。
この特許文献１に記載のディスプレイ装置では、スクリーンをフィルムスピーカで構成し、音声出力時に当該スクリーンを振動させる。また、音声を出力しない無音状態では、スクリーンの振動が生じないため、このような場合には、人間の耳では知覚しづらい２０ｋＨｚ以上の音声を出力することで、スクリーンを振動させる。これにより、スクリーンから反射される光線の位置が微妙に変化し続けることで、反射光の強度が大きく見える位置を変化させる。このような構成により、当該強度が大きく見える位置が画面全体に平均化され、観察者が投射画像の色むらを認識しづらくすることができる。
【０００４】
【特許文献１】特開２００５−１０７１５０号公報（第５頁）
【発明の開示】
【発明が解決しようとする課題】
【０００５】
しかしながら、特許文献１に記載のディスプレイ装置において、無音状態では２０ｋＨｚの音声を出力するが、このような高周波でスクリーン全体を振動させることは技術的に困難であるという問題がある。また、近年、大画面化が進むスクリーン全体をフィルムスピーカで構成することは、ディスプレイ装置の製造コストを増大させる要因となるという問題がある。
【０００６】
本発明の目的は、簡易な構成でシンチレーションを低減することができるリアプロジェクタを提供することである。
【課題を解決するための手段】
【０００７】
前記した目的を達成するために、本発明のリアプロジェクタは、コヒーレント光を射出する光源を有し、前記コヒーレント光を利用して入力する画像情報に応じた光学像を形成投射する画像形成手段と、前記光学像が投影されるスクリーンと、入力する音声情報に応じた音声を出力する音声出力手段と、装置全体を制御する制御手段と、これらを内部に収納する筐体とを備えたリアプロジェクタであって、前記音声出力手段は、当該音声出力手段の駆動時に生じる振動により、前記光源及び前記スクリーンを含む、前記光源から射出された光の光路上に位置する部品のうち、少なくともいずれかを振動させる位置に配置され、前記制御手段は、前記音声出力手段に出力する前記音声情報に、可聴域音が含まれるか否かを判定する音声情報判定部と、前記音声情報判定手段により、前記音声情報に可聴域音が含まれないと判定されると、前記音声出力手段に、２０Ｈｚ以下の音声を出力させる低域音声出力部とを備えることを特徴とする。
【０００８】
このような光源として、ＬＤ（Laser Diode）を例示することができる。また、このような画像形成手段として、ＬＤを光源とし、当該光源から射出された光束を画像情報に応じて変調する液晶パネル等の光変調装置と、変調された光束を投射する投射光学装置とを備えた構成を例示することができるほか、スクリーンを走査するように画像光としてのレーザー光を投射するレーザースキャンタイプの画像形成手段を例示することができる。さらに、光源から射出された光の光路上に位置する部品として、例えば、光源、画像形成に係る光学部品、及び、投射画像が投影されるスクリーンを例示することができるほか、画像形成手段により形成された画像光をスクリーンに向かって反射する反射ミラーが設けられている場合には、当該反射ミラーを例示することができる。
【０００９】
本発明によれば、通常の音声出力時には、音声出力手段の駆動によって生じる振動により、光源から射出された光（コヒーレント光）の光路上の部品が振動することにより、当該光の位相がずれるので、スクリーン上に投射され反射した光の干渉を抑制することができる。また、入力する音声情報に可聴域音が含まれない無音状態の場合、すなわち、リアプロジェクタに音声情報が入力しない場合や消音状態とした場合には、当該無音状態であることが、音声情報判定部により判定され、この場合には、低域音声出力部が、音声出力手段により２０Ｈｚ以下の音声を出力させる。これにより、人間の耳に知覚されづらい音声を出力しつつ、前記光の光路上の部品を振動させることができる。この際、２０Ｈｚの音声によって部品を振動させるので、これら部品を簡易に、かつ確実に振動させることができる。また、このような構成では、スクリーン全体をフィルムスピーカ等により構成する必要がないので、リアプロジェクタの製造コストを低減することができる。従って、投射画像のシンチレーションを簡易に、かつ、確実に低減することができる。
【００１０】
本発明では、前記低域音声出力部は、前記音声出力手段に１０Ｈｚ以上、２０Ｈｚ以下の音声を出力させることが好ましい。
ここで、無音状態で音声出力手段が１０Ｈｚ未満の低周波の音声を出力して、前述の部品を振動させると、当該振動が使用者により認識されやすくなる。このような場合、使用者にとっては当該振動が煩わしく感じられてしまう。また、このような振動周波数であると、シンチレーションの低減効率が低くなってしまう。
これに対し、本発明では、１０Ｈｚ以上２０Ｈｚ以下としたことにより、音声出力手段によって生じる振動を認識されにくくすることができるとともに、シンチレーションの低減を確実に図ることができる。従って、使用者により認識されずに投射画像のシンチレーションを確実に低減することができる。
【００１１】
本発明では、前記音声出力手段は、当該音声出力手段の駆動時に生じる振動により、前記スクリーンを振動させる位置に配置されていることが好ましい。
ここで、光源を含む画像形成手段は、筐体内において固定されていることが多く、当該画像形成手段を振動させることは難しい。また、前述の反射ミラーを備えている場合であっても、同様に、筐体の内面に固定されていることが多く、また、当該反射ミラーは重量が大きいため、振動させづらい。
これに対し、本発明では、音声出力手段の駆動時にスクリーンを振動させることにより、振動を容易に生じさせることができる。従って、投射画像のシンチレーションを確実に低減することができる。
【００１２】
本発明では、前記音声出力手段は、前記音声情報に応じた音声を出力するスピーカと、前記スピーカを支持するエンクロージャと、一端が前記エンクロージャの内部の空間に開口し、他端が前記筐体内における前記スクリーンが露出する空間に開口するダクトとを備え、前記ダクトの他端の開口は、前記スクリーンに対向していることが好ましい。
本発明によれば、スピーカの駆動によりエンクロージャ内で生じた空気の振動を、ダクトを介してスクリーンに作用させやすくすることができ、当該スクリーンを一層確実に振動させることができる。また、このような構成により、スクリーンが大きい場合でも、当該スクリーンに確実に空気の振動を作用させることができる。従って、スクリーンを確実に振動させることができ、これにより、投射画像のシンチレーションを一層確実に低減することができる。
【発明を実施するための最良の形態】
【００１３】
以下、本発明の一実施形態を図面に基づいて説明する。
（１）リアプロジェクタ１の全体構成
図１は、本実施形態のリアプロジェクタ１を正面側から見た斜視図である。図２は、リアプロジェクタ１を背面側から見た斜視図である。また、図３は、リアプロジェクタ１の内部構造を示す斜視図である。なお、図３においては、筐体２の図示を省略している。
本実施形態のリアプロジェクタ１は、入力する画像情報に応じた画像を筐体２に設けられたスクリーン４に拡大投射するものである。このリアプロジェクタ１は、画像情報に応じた画像を形成する画像形成手段３（図３）と、当該画像が投影されるスクリーン４（図１〜図３）と、画像形成手段３により形成された画像光をスクリーン４に向かって反射する反射ミラー５と、音声情報に応じた音声を出力する音声出力手段６（図１）と、装置全体を制御する制御手段７（図３）と、これらを内部に収納する筐体２（図１及び図２）とを備えて構成されている。なお、筐体２内には、詳しい図示を省略するが、画像形成手段３及び制御手段７に電力を供給する電力供給手段や、前述の各構成部品を冷却する冷却手段等も設けられている。
【００１４】
（２）筐体２の構成
筐体２は、互いに分離可能な上部筐体２１及び下部筐体２２から構成された合成樹脂製の筐体である。
このうち、上部筐体２１は、反射ミラー５（図３）を収納する縦断面略三角形状の筐体であり、当該反射ミラー５が内部に取り付けられるミラーケース２１１（図１及び図２）と、当該ミラーケース２１１の正面側の開口部周辺に形成されたフレーム枠２１２（図１）とを備えている。このフレーム枠２１２には、後述するスクリーン４が取り付けられている。
【００１５】
下部筐体２２は、平面視略台形状を有し、画像形成手段３、制御手段７、電力供給手段（図示省略）及び冷却手段（図示省略）等を収納する。この下部筐体２２は、フロントパネル２２１（図１）と、側部パネル２２２，２２３（図２）と、リアパネル２２４（図２）と、筐体２を支持する底部パネル（図示省略）とを備えて構成されている。
このうち、フロントパネル２２１は、図１に示すように、平面視矩形状を有し、左右側には略同寸法の略八角形状の２つの開口部２２１１が形成されている。これら開口部２２１１に対応する下部筐体２２の内側には、後述する音声出力手段６がそれぞれ設けられ、開口部２２１１を介して音声出力手段６を構成するスピーカ６１が露出する。
また、フロントパネル２２１の略中央には、リアプロジェクタ１を操作するための操作手段２２１２が設けられている。この操作手段２２１２は、詳しい図示を省略するが、リアプロジェクタ１の電源をオン／オフする電源キーや、スピーカ６１によって出力される音声の音量を調節する音量キー等を備えて構成され、当該操作手段２２１２は、入力されたキーに応じた操作信号を、後述する制御手段７に出力する。
【００１６】
側部パネル２２２，２２３は、図２に示すように、平面視台形形状を有し、ミラーケース２１１の一対の側壁と同様に、後方に向かうにしたがって内側に傾斜するように形成されている。この側部パネル２２２，２２３には、それぞれスリット状の開口部２２２１，２２３１が形成されている。そして、側部パネル２２２に形成された開口部２２２１は、内部に冷却空気を導入する吸気口であり、側部パネル２２３に形成された開口部２２３１は、内部を冷却した後の空気を排出する排気口である。
リアパネル２２４は、平面視矩形形状を有し、コンピュータ接続用の接続部や、ビデオ入力端子、オーディオ機器接続端子等の各種の機器接続用端子が設けられている。
【００１７】
（３）画像形成手段３の構成
図４は、画像形成手段３の光学系を示す模式図である。
画像形成手段３は、後述する制御手段７による制御下で、入力する画像情報に応じた画像に係る画像光を形成し、反射ミラー５を介してスクリーン４に投影するものである。この画像形成手段３は、図４に示すように、３つの光源装置３１と、当該各光源装置３１から射出された各色光の光路上に配置されるそれぞれ３つの光変調装置としての液晶パネル３２及び偏光板３３と、クロスダイクロイックプリズム３４と、投射レンズ３５とを備えて構成されている。
【００１８】
各光源装置３１は、後述する制御手段７から入力する駆動信号に基づいて点灯し、液晶パネル３２に向けてコヒーレント光であるレーザー光を射出する。これら光源装置３１は、それぞれ赤色レーザー光、青色レーザー光及び緑色レーザー光を射出するＬＤ（Laser Diode）を備えて構成されている。そして、これら光源装置３１は、それぞれクロスダイクロイックプリズム３４の側面三方に対向するように配設される。具体的に、クロスダイクロイックプリズム３４を挟んで、赤色レーザー光を射出する光源装置３１Ｒと青色レーザー光を射出する光源装置３１Ｂとは互いに対向し、投射レンズ３５と緑色レーザー光を射出する光源装置３１Ｇとは互いに対向するように配置される。
【００１９】
各液晶パネル３２は、例えば、ポリシリコンＴＦＴ（Thin Film Transistor）をスイッチング素子として用いたものであり、後述する制御手段７から入力する画像情報としての駆動信号に応じて、画像形成領域内にある液晶分子の配向状態を変化させ、入射側偏光板３３１から射出された偏光光束の偏光方向を変調して、入射する色光に応じた色画像を形成する。
【００２０】
各偏光板３３は、液晶パネル３２の光路前段側および光路後段側に配置される入射側偏光板３３１および射出側偏光板３３２を備えて構成されている。
入射側偏光板３３１は、光源装置３１から射出された各色光のうち、一定方向の偏光光のみ透過させ、その他の光束を吸収するものであり、水晶またはサファイア等からなる基板に偏光膜が貼付されたものである。
射出側偏光板３３２は、入射側偏光板３３１と同様に構成され、液晶パネル３２から射出された光束のうち、所定方向の偏光光のみ透過させ、その他の光束を吸収するものである。また、基板を用いずに、偏光膜をクロスダイクロイックプリズム３４に貼り付けてもよいし、基板をクロスダイクロイックプリズム３４に貼り付けてもよい。これら入射側偏光板３３１および射出側偏光板３３２は、互いの偏光軸の方向が直交するように設定されている。
【００２１】
クロスダイクロイックプリズム３４は、各液晶パネル３２から射出された色光毎に変調された画像光を合成してカラー画像を形成する。このクロスダイクロイックプリズム３４は、４つの直角プリズムを貼り合わせた平面視略正方形状をなし、直角プリズム同士を貼り合わせた界面には、２つの誘電体多層膜が形成されている。これら誘電体多層膜は、互いに対向する各液晶パネル３２から射出された各色光を反射し、投射レンズ３５に対向する液晶パネル３２から射出された色光を透過する。このようにして、各液晶パネル３２にて変調された各色光が合成されてカラー画像が形成される。
【００２２】
投射レンズ３５は、複数のレンズが組み合わされた組レンズとして構成されている。そして、この投射レンズ３５は、クロスダイクロイックプリズム３４にて形成されたカラー画像に基づいた画像光を形成して反射ミラー５に向けて拡大投射する。
【００２３】
（４）スクリーン４の構成
スクリーン４は、図１及び図３において示したように、平面視略長方形状に形成され、フレネルシート、レンチキュラーシート、ガラス板等の保護板を備えて構成されている。このうち、フレネルシートは、後述する画像形成手段３の投射レンズ３５から射出され、反射ミラー５で反射された光束を平行化する。また、レンチキュラーシートは、フレネルシートを透過して平行化された光束を、当該レンチキュラーシートによって拡散して、表示画像を適切に視認できるように構成されている。
【００２４】
（５）反射ミラー５の構成
反射ミラー５は、図３において示したように、平面視略台形状に形成された全反射ミラーであり、台形状の長辺が上側となるように傾斜して前述の上部筐体２１を構成するミラーケース２１１の内面側に取り付けられる。この反射ミラー５の傾斜角は、正面側に取り付けられるスクリーン４と、前述の画像形成手段３を構成する投射レンズ３５（図４）による映像の反射との位置関係に基づいて設定されている。
【００２５】
（６）音声出力手段６の構成
図５は、音声出力手段６の構成を示す模式図であり、リアプロジェクタ１の縦断面を示す図である。
音声出力手段６は、後述する制御手段７から入力する音声情報に応じた音声を出力するものであり、前述のように、下部筐体２２の内部におけるフロントパネル２２１の左右両端に対応する位置に、それぞれ１つずつ計２つ配置されている。この音声出力手段６は、図５に示すように、スピーカ６１と、エンクロージャ６２と、ダクト６３とを備えて構成されている。
【００２６】
スピーカ６１は、前述のフロントパネル２２１に形成された開口部２２１１から筐体外に露出し、制御手段７から入力する音声情報に係る音声信号に基づく音声を出力する。
エンクロージャ６２は、スピーカ６１を支持する箱型筐体である。
ダクト６３は、スピーカ６１を構成するドライバの背面から出力される音を利用するポートである。このダクト６３は、エンクロージャ６２の内部空間と筐体２の内部空間とを連通するように設けられ、一端は、エンクロージャ６２の内部に開口し、他端は、筐体２内に開口している。詳述すると、ダクト６３の他端は、スクリーン４に対向するように開口している。なお、このダクト６３は、画像形成手段３から、反射ミラー５を介してスクリーン４に投影される画像光の透過領域を避けるように配置されている。
【００２７】
ここで、スピーカ６１による音声出力時には、当該スピーカ６１を構成するコーンが前後するため、エンクロージャ６２内には、スピーカ６１の背面側からの出力音声である空気の振動が生じる。この音声は、エンクロージャ６２からダクト６３を介して、当該ダクト６３の他端側に対向するスクリーン４に向かって出力されるため、空気の振動がスクリーン４に伝わることとなり、スクリーン４が振動する。これにより、スクリーン４で反射したレーザー光の干渉が抑制され、投射画像のシンチレーションを低減することができる。
【００２８】
（７）制御手段７の構成
図６は、制御手段７の構成を示すブロック図である。
制御手段７は、前述のように、リアプロジェクタ１の装置全体を制御するものであり、ＣＰＵ（Central Processing Unit）や、ＲＡＭ（Random Access Memory）及びＲＯＭ（Read Only Memory）等が実装された回路基板として構成されている。この制御手段７は、図６に示すように、画像形成部７１、パネル駆動制御部７２、光源駆動制御部７３、音声出力制御部７４及びスピーカ駆動制御部７５を備えて構成されている。
【００２９】
画像形成部７１は、下部筐体２２のリアパネル２２４に配設された各種の機器接続用端子から入力する画像情報を処理する。この際、画像形成部７１は、色合い、コントラスト及びガンマ等のデジタル補正を行う。また、画像形成部７１は、必要に応じてＯＳＤ（On Screen Display）のメニュー画面の画像情報を生成する。そして、画像形成部７１は、処理した画像情報をパネル駆動制御部７２に出力する。
パネル駆動制御部７２は、液晶パネル３２の駆動を制御する。具体的に、パネル駆動制御部７２は、画像形成部７１から入力する画像情報に応じて、液晶パネル３２に駆動信号を出力し、入力した画像情報に応じた画像を当該液晶パネル３２に形成させる。
光源駆動制御部７３は、光源装置３１に駆動信号を出力し、当該光源装置３１の点灯状態を制御する。
【００３０】
音声出力制御部７４は、前述の機器接続用端子から入力する音声情報を処理して、スピーカ駆動制御部７５に出力する。また、音声出力制御部７４は、入力する音声情報に可聴域（２０Ｈｚ〜２０ｋＨｚ）の音声に係る音声情報が含まれない場合や、操作手段２２１２の操作による消音状態の場合に、それぞれスピーカ駆動制御部７５に２０Ｈｚの音声情報を生成し、当該音声情報をスピーカ駆動制御部７５に出力する。このような音声出力制御部７４は、音声情報処理部７４１、音声情報判定部７４２及び低域音声出力部７４３を備えて構成されている。
【００３１】
音声情報処理部７４１は、機器接続用端子から入力する音声情報を処理して、内部処理可能な音声情報（音声信号）に変換する。この際、操作手段２２１２の操作によって設定された音量に応じて音声情報を増幅または減縮するほか、設定された音質となるように音声情報を加工する。そして、音声情報処理部７４１は、処理された音声情報を音声情報判定部７４２と、スピーカ駆動制御部７５に出力する。
【００３２】
音声情報判定部７４２は、音声情報処理部７４１により処理された音声情報に、可聴域の音声に係る音声情報が含まれているか否かを判定する。この際、音声情報処理部７４１により、音声出力制御部７４に入力した音声情報（音声信号）は、設定された音量に応じて増幅または減縮されているので、音声情報判定部７４２により、スピーカ駆動制御部７５に出力された音声情報に基づいてスピーカ６１により出力される音声に、可聴域の音声が含まれるか否かを判定することができる。すなわち、設定された音量が０である場合には、音声情報判定部７４２は、音声情報処理部７４１により処理された音声情報に、可聴域の音声に係る音声情報が含まれていないと判定する。
【００３３】
低域音声出力部７４３は、音声情報判定部７４２により、スピーカ駆動制御部７５に出力される音声情報に、可聴域の音声情報が含まれていないと判定された場合、例えば、リアプロジェクタ１に音声情報が入力していない場合、入力した音声情報に可聴域の音声が含まれていない場合、及び、設定された音量が０である場合等に、２０Ｈｚの音声に係る音声情報を生成する。そして、低域音声出力部７４３は、生成した音声情報をスピーカ駆動制御部７５に出力する。
【００３４】
スピーカ駆動制御部７５は、音声出力制御部７４から入力する音声情報に応じてスピーカ６１を駆動し、当該音声情報に応じた音声を出力させる。この際、スピーカ駆動制御部７５は、音声出力制御部７４の低域音声出力部７４３から音声情報が入力している場合には、音声情報処理部７４１から入力する音声情報に優先し、当該低域音声出力部７４３から入力する音声情報に応じた音声を、スピーカ６１に出力させる。
【００３５】
（８）画像表示時処理
以下、リアプロジェクタ１により画像を表示する際に実行される画像表示時処理について説明する。
図７は、画像表示時処理の処理過程を示すフローチャートである。
リアプロジェクタ１の制御手段７は、画像表示時に、画像形成に係る処理の他に画像表示時処理を実行する。この画像表示時処理は、制御手段７を構成し、かつ、ＲＯＭによって構成された記憶部に記憶された画像表示時処理プログラムに沿って実行され、スピーカ６１により出力される音声が無音である場合や、可聴音域以外の音声のみを出力する場合に、前述の低周波数（２０Ｈｚ）の音声を出力する処理である。
【００３６】
具体的に、画像表示時処理は、図７に示すように、まず、制御手段７の音声出力制御部７４を構成する音声情報処理部７４１が、機器接続用端子から入力する音声情報を処理する（ステップＳ１）。この際、音声情報処理部７４１は、前述のように、使用者による操作手段２２１２の操作によって設定された音量に応じて、音声情報を増幅及び減縮するなどの処理を実行する。
この後、音声情報判定部７４２が、処理された音声信号に、可聴域の音声が含まれているか否かを判定する（ステップＳ２）。
【００３７】
ここで、音声情報判定部７４２が、可聴域の音声情報が含まれていると判定した場合には、低域音声出力部７４３は、低域（２０Ｈｚ）の音声に係る音声情報の生成及び出力を行わない。このため、スピーカ駆動制御部７５には、音声情報処理部７４１によって処理された音声情報のみが入力する。これにより、当該音声情報に応じた音声が、音声出力手段６のスピーカ６１から出力される（ステップＳ３）。
一方、音声情報判定部７４２が、可聴域の音声情報が含まれていると判定した場合には、低域音声出力部７４３が、低域（２０Ｈｚ）の音声に係る音声情報を生成し、当該音声情報をスピーカ駆動制御部７５に出力する。これにより、スピーカ駆動制御部７５は、当該２０Ｈｚの音声に係る音声情報に基づいてスピーカ６１を駆動し、スピーカ６１は、当該音声情報に応じた音声を出力する（ステップＳ４）。
【００３８】
これらステップＳ３及びステップＳ４により、画像表示時には、確実にスピーカ６１が駆動することとなる。このため、スピーカ６１の駆動によって生じた空気の振動が、スピーカ６１と同じく音声出力手段６を構成するエンクロージャ６２及びダクト６３を介して、スクリーン４に伝播され、当該スクリーン４が振動する。これにより、光源装置３１から射出されたレーザー光に基づく画像光がスクリーン４に投影され、画像が表示された場合に、スクリーン４による反射光の強度分布が画面全体で平均化され、投射画像のシンチレーション及び色むら等を認識しづらくすることができる。
【００３９】
以上のような本実施形態のリアプロジェクタ１によれば、以下の効果を奏することができる。
すなわち、音声出力制御部７４の音声情報判定部７４２が、音声情報処理部７４１により処理された音声情報に可聴域の音声に係る音声情報が含まれていると判定した場合には、当該処理された音声情報に係る音声が、スピーカ駆動制御部７５の制御下で、スピーカ６１により出力される。このスピーカ６１の音声出力によって生じる空気の振動は、当該スピーカ６１が支持されるエンクロージャ６２からダクト６３を介して、スクリーン４に伝播され、当該スクリーン４が振動する。
【００４０】
一方、音声情報判定部７４２が、音声情報処理部７４１により処理された音声情報に可聴域の音声に係る音声情報が含まれていないと判定した場合には、低域音声出力部７４３が、２０Ｈｚの音声に係る音声情報を生成し、当該２０Ｈｚの音声に係る音声情報に応じた音声が、スピーカ駆動制御部７５の制御下で、スピーカ６１により出力される。この際、前述の場合と同様に、当該スピーカ６１の音声出力によって生じる空気の振動により、スクリーン４が振動する。
これによれば、いずれの場合でも、スクリーン４を振動させることができるので、画像形成手段３の光源装置３１から射出されたレーザー光に基づく画像光がスクリーン４に投影され、当該レーザー光がスクリーン４で反射して干渉することによって生じるシンチレーションを低減することができる。従って、スピーカ６１の駆動によって生じる振動により、投射画像のシンチレーションを簡易な構成で、確実に低減することができる。
【００４１】
また、音声情報判定部７４２により、音声情報処理部７４１によって処理された音声情報に、可聴域の音声に係る音声情報が含まれていないと判定された際に、低域音声出力部７４３が生成し、かつ、スピーカ駆動制御部７５に出力される音声情報は、２０Ｈｚの音声に係る音声情報としている。これによれば、人間の耳に聞こえづらい周波数帯の音声をスピーカ６１が出力することで、無音状態を維持することができるとともに、スピーカ６１の駆動によって低周波の振動が生じることとなるので、スクリーン４を確実に振動させることができる。従って、無音状態を維持することができるとともに、スクリーン４を確実に振動させることができるので、投射画像のシンチレーションを確実に低減することができる。
【００４２】
また、リアプロジェクタ１は、音声出力手段６を構成するスピーカ６１の駆動によって生じた振動が、スクリーン４を振動させるように構成されている。これによれば、光源装置３１等の画像形成手段３を構成する部品や、反射ミラー５を振動させる場合に比べて、部品の振動を生じさせやすい。このため、より確実に投射画像のシンチレーションを低減することができる。
【００４３】
また、音声出力手段６は、スピーカ６１の駆動により生じた空気の振動が、エンクロージャ６２を介してダクト６３からスクリーン４に伝播されるように構成されている。このダクト６３は、他端の開口がスクリーン４に対向するように配置されているので、当該空気の振動がスクリーン４に当たりやすくすることができ、これによりスクリーン４を一層確実に振動させることができる。この際、ダクト６３は、画像形成手段３により反射ミラー５を介してスクリーン４に投影される画像光の透過領域を外して設けられていることにより、投射画像が欠けるなどの劣化を防ぐことができる。従って、投射画像の劣化を一層確実に抑制することができる。
【００４４】
（９）実施形態の変形
本発明は前述の実施形態に限定されるものではなく、本発明の目的を達成できる範囲での変形、改良等は本発明に含まれるものである。
前記実施形態では、低域音声出力部７４３は、２０Ｈｚの音声に係る音声情報を生成するとしたが、本発明はこれに限らず、人の耳に聞こえづらく、かつ、低域の音声に係る音声情報、すなわち、２０Ｈｚ以下の音声に係る音声情報であれば、他の周波数であってもよい。なお、１０Ｈｚ以下の周波数の音声に係る音声情報では、スピーカ６１の駆動によって生じる振動が、使用者に知覚されやすいため、１０Ｈｚ以上、２０Ｈｚ以下であることが好ましい。
【００４５】
前記実施形態では、スピーカ６１の駆動によって生じる空気の振動により、スクリーン４を振動させるとしたが、本発明はこれに限らず、光源装置３１等の画像形成手段３を構成する部品や、反射ミラー５を振動させるようにしてもよい。このような場合でも、前記実施形態と同様に、投射画像のシンチレーションを低減することが可能である。
【００４６】
前記実施形態では、ＬＤを有する光源装置３１から射出されたレーザー光を液晶パネル３２により変調して画像光を形成し、投射レンズ３５により、当該画像光を反射ミラー５を介してスクリーン４に投影させるとしたが、本発明はこれに限らない。例えば、スクリーン４を走査するように画像光であるレーザー光を射出することで画像を形成するレーザースキャンタイプのリアプロジェクタにも、本発明を適用可能である。また、光源装置３１は、ＬＤを備えるとしたが、コヒーレント光を射出する光源装置であれば、構成は問わない。
【００４７】
前記実施形態では、光変調装置として透過型の液晶パネル３２を備えたリアプロジェクタ１を例示したが、反射型の液晶パネルを採用してもよい。また、光源装置３１から射出された光束を画像情報に応じて変調して光学像を形成可能な光変調装置であれば、他の構成の光変調装置を採用してもよい。例えば、マイクロミラーを用いたデバイスなど、液晶層以外の光変調装置を用いたプロジェクタにも、本発明を適用することも可能である。
【産業上の利用可能性】
【００４８】
本発明は、リアプロジェクタに利用でき、特にコヒーレント光を射出する光源を有するリアプロジェクタに好適に利用することができる。
【図面の簡単な説明】
【００４９】
【図１】本発明の一実施形態に係るリアプロジェクタを正面側から見た斜視図。
【図２】前記実施形態におけるリアプロジェクタを背面側から見た斜視図。
【図３】前記実施形態におけるリアプロジェクタの内部構造を示す斜視図。
【図４】前記実施形態における画像形成手段の光学系を示す模式図。
【図５】前記実施形態における音声出力手段の構成を示す模式図。
【図６】前記実施形態における制御手段の構成を示すブロック図。
【図７】前記実施形態における画像表示時処理の処理過程を示すフローチャート。
【符号の説明】
【００５０】
１…リアプロジェクタ、２…筐体、３…画像形成手段、４…スクリーン、６…音声出力手段、７…制御手段、３１…光源装置（光源）、６１…スピーカ、６２…エンクロージャ、６３…ダクト、７４２…音声情報判定部、７４３…低域音声出力部。
【図１】
2008102316.tif 000003
【図２】
2008102316.tif 000004
【図３】
2008102316.tif 000005
【図４】
2008102316.tif 000006
【図５】
2008102316.tif 000007
【図６】
2008102316.tif 000008
【図７】
2008102316.tif 000009